(57)【特許請求の範囲】
【請求項１】
モータと、前記モータの回転動力が伝達されて回転駆動されるインペラと、前記モータの回転動力を前記インペラに伝達するギアユニットと、少なくとも前記ギアユニットに供給された潤滑油を回収する油タンクとを備えるターボ圧縮機であって、
前記油タンクは、前記モータを囲うモータハウジング及び前記インペラを囲うインペラハウジングの少なくともいずれかによって形成された閉空間の一部からなり、
前記モータハウジング及び前記インペラハウジングによって形成される前記ギアユニットを収納する閉空間の下部が前記油タンクとされ、
前記油タンクと前記ギアユニットを収納する閉空間の上部との間に、貫通孔によって前記閉空間の上部と前記油タンクとの接続空間を狭め、前記油タンクから前記上部への潤滑油ミストの侵入を抑制する仕切板を備える
ことを特徴とするターボ圧縮機。
【請求項２】
圧縮された冷媒を冷却液化する凝縮器と、液化された前記冷媒を蒸発させて冷却対象物から気化熱を奪うことによって前記冷却対象物を冷却する蒸発器と、前記蒸発器にて蒸発された前記冷媒を圧縮して前記凝縮器に供給する圧縮機とを備える冷凍機であって、
前記圧縮機として、請求項１記載のターボ圧縮機を備えることを特徴とする冷凍機。
【発明の詳細な説明】
【技術分野】
【０００１】
本発明は、モータと該モータの回転動力が伝達されて回転駆動されるインペラとを備えるターボ圧縮機及び該ターボ圧縮機を備える冷凍機に関するものである。
【背景技術】
【０００２】
水等の冷却対象物を冷却あるいは冷凍する冷凍機として、冷媒をインペラによって圧縮して排出するターボ圧縮機を備えるターボ冷凍機等が知られている。
このようなターボ冷凍機等が備えるターボ圧縮機は、特許文献１に示すように、インペラを回転駆動する回転動力を得るためのモータやインペラがハウジングに囲われた構成を有している。
【先行技術文献】
【特許文献】
【０００３】
【特許文献１】特開２００７−１７７６９５号公報
【発明の概要】
【発明が解決しようとする課題】
【０００４】
ところで、ターボ圧縮機においては、動作を円滑とするために、モータの回転動力をインペラに伝達するためのギアユニット等の摺動部位に潤滑油を供給する必要がある。
そして、このような摺動部位に供給された潤滑油は、再利用するためにモータやインペラを囲うハウジングと別に設けられた油タンクに一度回収され、再度摺動部位に供給される。
【０００５】
しかしながら、油タンクは、上述のようにモータやインペラを囲うハウジングと別に設けられるため、ターボ圧縮機を組み立てる際に油タンクをハウジングに接続する工程が必要となり、ターボ圧縮機の組立て工程が煩雑化する。
また、ターボ冷凍機等においては、冷媒としてフロンを用いる場合が多く、より確実に冷媒の漏れを防止するために、ハウジング内部を密閉している。しかしながら、上述のように油タンクをハウジングに接続する場合には、接続箇所が生じることから密閉性の確保が困難となり、当該接続箇所に密閉性を向上させる高度な対策が必要となったり、頻繁にメンテナンスを行ったりする必要が生じる。
【０００６】
本発明は、上述する問題点に鑑みてなされたもので、ターボ圧縮機において、ハウジング内部の密閉性を容易に向上させることを目的とする。
【課題を解決するための手段】
【０００７】
上記目的を達成するために、本発明のターボ圧縮機は、モータと、上記モータの回転動力が伝達されて回転駆動されるインペラと、上記モータの回転動力を上記インペラに伝達するギアユニットと、少なくとも上記ギアユニットに供給された潤滑油を回収する油タンクとを備えるターボ圧縮機であって、上記油タンクは、上記モータを囲うモータハウジング及び上記インペラを囲うインペラハウジングの少なくともいずれかによって形成された閉空間の一部からなることを特徴とする。
【０００８】
このような特徴を有する本発明のターボ圧縮機によれば、油タンクが、モータを囲うモータハウジング及びインペラを囲うインペラハウジングの少なくともいずれかによって形成された閉空間の一部から構成される。
【０００９】
また、本発明のターボ圧縮機においては、上記モータハウジング及び上記インペラハウジングによって形成される上記ギアユニットを収納する空間に接続されると共に上記モータハウジングによって形成される空間が上記油タンクとされるという構成を採用する。
【００１０】
また、本発明のターボ圧縮機においては、上記モータハウジング及び上記インペラハウジングによって形成される上記ギアユニットを収納する空間に接続されると共に上記インペラハウジングによって形成される空間が上記油タンクとされるという構成を採用する。
【００１１】
また、本発明のターボ圧縮機においては、上記モータハウジング及び上記インペラハウジングによって形成される上記ギアユニットを収納する閉空間の下部が上記油タンクとされるという構成を採用する。
【００１２】
また、本発明のターボ圧縮機においては、上記油タンクと上記ギアユニットを収納する閉空間の上部との間に、上記油タンクから上記上部への潤滑油ミストの侵入を抑制する仕切板を備えるという構成を採用する。
【００１３】
次に、本発明の冷凍機は、圧縮された冷媒を冷却液化する凝縮器と、液化された上記冷媒を蒸発させて冷却対象物から気化熱を奪うことによって上記冷却対象物を冷却する蒸発器と、上記蒸発器にて蒸発された上記冷媒を圧縮して上記凝縮器に供給する圧縮機とを備える冷凍機であって、上記圧縮機として、本発明のターボ圧縮機を備えることを特徴とする。
【００１４】
このような特徴を有する本発明の冷凍機によれば、本発明のターボ圧縮機と同様に、油タンクが、モータを囲うモータハウジング及びインペラを囲うインペラハウジングの少なくともいずれかによって形成された閉空間の一部から構成される。
【発明の効果】
【００１５】
本発明によれば、油タンクが、モータを囲うモータハウジング及びインペラを囲うインペラハウジングの少なくともいずれかによって形成された閉空間の一部から構成される。このため、油タンクをモータやインペラを囲うハウジングと別体に設ける必要がなく、その接続箇所も不要となる。
したがって、本発明によれば、ターボ圧縮機において、ハウジング内部の密閉性を容易に向上させることが可能となる。
【図面の簡単な説明】
【００１６】
【図１】本発明の第１実施形態におけるターボ冷凍機の概略構成を示すブロック図である。
【図２】本発明の第１実施形態におけるターボ冷凍機が備えるターボ圧縮機の水平断面図である。
【図３】本発明の第１実施形態におけるターボ冷凍機が備えるターボ圧縮機の垂直断面図である。
【図４】図３の要部拡大図である。
【図５】本発明の第２実施形態におけるターボ冷凍機が備えるターボ圧縮機の垂直断面図である。
【図６】本発明の第３実施形態におけるターボ冷凍機が備えるターボ圧縮機の垂直断面図である。
【発明を実施するための形態】
【００１７】
以下、図面を参照して、本発明に係るターボ圧縮機及び冷凍機の一実施形態について説明する。なお、以下の図面において、各部材を認識可能な大きさとするために、各部材の縮尺を適宜変更している。
【００１８】
（第１実施形態）
図１は、本実施形態におけるターボ冷凍機Ｓ１（冷凍機）の概略構成を示すブロック図である。
本実施形態におけるターボ冷凍機Ｓ１は、例えば空調用の冷却水を生成するためにビルや工場に設置されるものであり、図１に示すように、凝縮器１と、エコノマイザ２と、蒸発器３と、ターボ圧縮機４とを備えている。
【００１９】
凝縮器１は、気体状態で圧縮された冷媒（流体）である圧縮冷媒ガスＸ１が供給され、この圧縮冷媒ガスＸ１を冷却液化することによって冷媒液Ｘ２とするものである。この凝縮器１は、図１に示すように、圧縮冷媒ガスＸ１が流れる流路Ｒ１を介してターボ圧縮機４と接続されており、冷媒液Ｘ２が流れる流路Ｒ２を介してエコノマイザ２と接続されている。なお、流路Ｒ２には、冷媒液Ｘ２を減圧するための膨張弁５が設置されている。
【００２０】
エコノマイザ２は、膨張弁５にて減圧された冷媒液Ｘ２を一時的に貯留するものである。このエコノマイザ２は、冷媒液Ｘ２が流れる流路Ｒ３を介して蒸発器３と接続されており、エコノマイザ２にて生じた冷媒の気相成分Ｘ３が流れる流路Ｒ４を介してターボ圧縮機４と接続されている。なお、流路Ｒ３は、冷媒液Ｘ２をさらに減圧するための膨張弁６が設置されている。また、流路Ｒ４は、ターボ圧縮機４が備える後述する第２圧縮段２２に気相成分Ｘ３を供給するようにターボ圧縮機４と接続されている。
【００２１】
蒸発器３は、冷媒液Ｘ２を蒸発させて水等の冷却対象物から気化熱を奪うことによって冷却対象物を冷却するものである。この蒸発器３は、冷媒液Ｘ２が蒸発されることによって生じる冷媒ガスＸ４が流れる流路Ｒ５を介してターボ圧縮機４と接続されている。なお、流路Ｒ５は、ターボ圧縮機４が備える後述する第１圧縮段２１と接続されている。
【００２２】
ターボ圧縮機４は、冷媒ガスＸ４を圧縮して上記圧縮冷媒ガスＸ１とするものである。このターボ圧縮機４は、上述のように圧縮冷媒ガスＸ１が流れる流路Ｒ１を介して凝縮器１と接続されており、冷媒ガスＸ４が流れる流路Ｒ５を介して蒸発器３と接続されている。
【００２３】
このように構成されたターボ冷凍機Ｓ１においては、流路Ｒ１を介して凝縮器１に供給された圧縮冷媒ガスＸ１は、凝縮器１によって液化冷却されて冷媒液Ｘ２とされる。
冷媒液Ｘ２は、流路Ｒ２を介してエコノマイザ２に供給される際に膨張弁５によって減圧され、減圧された状態にてエコノマイザ２において一時的に貯留された後、流路Ｒ３を介して蒸発器３に供給される際に膨張弁６によってさらに減圧され、さらに減圧された状態にて蒸発器３に供給される。
蒸発器３に供給された冷媒液Ｘ２は、蒸発器３によって蒸発されて冷媒ガスＸ４とされ、流路Ｒ５を介してターボ圧縮機４に供給される。
ターボ圧縮機４に供給された冷媒ガスＸ４は、ターボ圧縮機４によって圧縮されて圧縮冷媒ガスＸ１とされ、再び流路Ｒ１を介して凝縮器１に供給される。
なお、冷媒液Ｘ２がエコノマイザ２に貯留されている際に発生した冷媒の気相成分Ｘ３は、流路Ｒ４を介してターボ圧縮機４に供給され、冷媒ガスＸ４と共に圧縮されて圧縮冷媒ガスＸ１として流路Ｒ１を介して凝縮器１に供給される。
そして、このようなターボ冷凍機Ｓ１では、蒸発器３にて冷媒液Ｘ２を蒸発される際に、冷却対象物から気化熱を奪うことによって、冷却対象物の冷却あるいは冷凍を行う。
【００２４】
続いて、本実施形態の特徴部分である上記ターボ圧縮機４についてより詳細に説明する。図２は、ターボ圧縮機４の水平断面図である。また、図３はターボ圧縮機４の垂直断面図である。また、図４は、ターボ圧縮機４が備える圧縮機ユニット２０を拡大した垂直断面図である。
これらの図に示すように、本実施形態におけるターボ圧縮機４は、モータユニット１０と、圧縮機ユニット２０と、ギアユニット３０とを備えている。
【００２５】
モータユニット１０は、出力軸１１を有すると共に圧縮機ユニット２０を駆動させるための駆動源となるモータ１２と、該モータ１２を囲むと共に上記モータ１２を支持するモータハウジング１３とを備えている。
なお、モータ１２の出力軸１１は、モータハウジング１３に固定される第１軸受１４と第２軸受１５とによって回転可能に支持されている。
【００２６】
また、モータハウジング１３は、ターボ圧縮機４を支持する脚部１３ａを備えている。そして、本実施形態におけるターボ圧縮機４においては、脚部１３ａの内部は、中空とされており、ターボ圧縮機４の摺動部位に供給される潤滑油が回収されると共に貯留される油タンク１００として用いられる。
すなわち、本実施形態におけるターボ圧縮機４においては、モータハウジング１３によって形成される空間が油タンク１００とされている。
【００２７】
圧縮ユニット２０は、冷媒ガスＸ４（図１参照）を吸入して圧縮する第１圧縮段２１と、第１圧縮段２１にて圧縮された冷媒ガスＸ４をさらに圧縮して圧縮冷媒ガスＸ１（図１参照）として排出する第２圧縮段２２とを備えている。
【００２８】
第１圧縮段２１は、スラスト方向から供給される冷媒ガスＸ４に速度エネルギを付与してラジアル方向に排出する第１インペラ２１ａと、第１インペラ２１ａによって冷媒ガスＸ４に付与された速度エネルギを圧力エネルギに変換することによって圧縮する第１ディフューザ２１ｂと、第１ディフューザ２１ｂによって圧縮された冷媒ガスＸ４を第１圧縮段２１の外部に導出する第１スクロール室２１ｃと、冷媒ガスＸ４を吸入して第１インペラ２１ａに供給する吸入口２１ｄを備えている。
なお、第１ディフューザ２１ｂ、第１スクロール室２１ｃ及び吸入口２１ｄの一部は、第１インペラ２１ａを囲う第１ハウジング２１ｅによって形成されている。
【００２９】
第１インペラ２１ａは、回転軸２３に固定され、回転軸２３がモータ１２の出力軸１１から回転動力を伝達されて回転されることによって回転駆動される。
また、第１圧縮段２１の吸入口２１ｄには、第１圧縮段２１の吸入容量を調節するためのインレットガイドベーン２１ｇが複数設置されている。
各インレットガイドベーン２１ｇは、第１ハウジング２１ｅに固定された駆動機構２１ｈによって冷媒ガスＸ４の流れ方向からの見かけ上の面積が変更可能なように回転可能とされている。
【００３０】
第２圧縮段２２は、第１圧縮段２１にて圧縮されると共にスラスト方向から供給される冷媒ガスＸ４に速度エネルギを付与してラジアル方向に排出する第２インペラ２２ａと、第２インペラ２２ａによって冷媒ガスＸ４に付与された速度エネルギを圧力エネルギに変換することによって圧縮して圧縮冷媒ガスＸ１として排出する第２ディフューザ２２ｂと、第２ディフューザ２２ｂから排出された圧縮冷媒ガスＸ１を第２圧縮段２２の外部に導出する第２スクロール室２２ｃと、第１圧縮段２１にて圧縮された冷媒ガスＸ４を第２インペラ２２ａに導く導入スクロール室２２ｄとを備えている。
なお、第２ディフューザ２２ｂ、第２スクロール室２２ｃ及び導入スクロール室２２ｄの一部は、第２インペラ２２ａを囲う第２ハウジング２２ｅによって形成されている。
【００３１】
第２インペラ２２ａは、上記回転軸２３に第１インペラ２１ａと背面合わせとなるように固定され、回転軸２３がモータ１２の出力軸１１から回転動力を伝達されて回転されることによって回転駆動される。
第２スクロール室２２ｃは、圧縮冷媒ガスＸ１を凝縮器１に供給するための流路Ｒ１と接続されており、第２圧縮段２２から導出した圧縮冷媒ガスＸ１を流路Ｒ１に供給する。
【００３２】
なお、第１圧縮段２１の第１スクロール室２１ｃと、第２圧縮段２２の導入スクロール室２２ｄとは、第１圧縮段２１及び第２圧縮段２２とは別体で設けられる外部配管（不図示）を介して接続されており、該外部配管を介して第１圧縮段２１にて圧縮された冷媒ガスＸ４が第２圧縮段２２に供給される。この外部配管には、上述の流路Ｒ４（図１参照）が接続されており、エコノマイザ２にて発生した冷媒の気相成分Ｘ３が外部配管を介して第２圧縮段２２に供給される構成となっている。
【００３３】
また、回転軸２３は、第１圧縮段２１と第２圧縮段２２との間の空間５０において第２圧縮段２２の第２ハウジング２２ｅに固定される第３軸受２４と、モータユニット１０側において第２ハウジング２２ｅに固定される第４軸受２５とによって回転可能に支持されている。
【００３４】
ギアユニット３０は、モータ１２の出力軸１１の回転動力を回転軸２３に伝達するためのものであり、モータユニット１０のモータハウジング１３と圧縮機ユニット２０の第２ハウジング２２ｅとによって形成される空間６０に収納されている。
このギアユニット３０は、モータ１２の出力軸１１に固定される大径歯車３１と、回転軸２３に固定されると共に大径歯車３１と噛み合う小径歯車３２とによって構成されており、出力軸１１の回転数に対して回転軸２３の回転数が増加するようにモータ１２の出力軸１１の回転動力を回転軸２３に伝達する。
【００３５】
また、ターボ圧縮機４は、軸受（第１軸受１４，第２軸受１５，第３軸受２４，第４軸受２５）、インペラ（第１インペラ２１ａ，第２インペラ２２ａ）とハウジング（第１ハウジング２１ｅ，第２ハウジング２２ｅ）との間、及びギアユニット３０等の摺動部位に油タンク４０に貯留された潤滑油を供給する潤滑油供給装置７０を備えている。なお、図面において潤滑油供給装置７０は、一部のみが図示されている。
なお、第３軸受２４が配置される空間５０とギアユニット３０が収納される空間６０とは、第２ハウジング２２ｅに形成された貫通孔８０によって接続されており、さらに空間６０と油タンク１００とは接続されている。このため、空間５０，６０に供給されて摺動部位から流れ落ちた潤滑油は、油タンク１００に回収される。
つまり、本実施形態におけるターボ圧縮機４においては、モータハウジング１３及び第２ハウジング２２ｅ（インペラハウジング）によって形成されるギアユニット３０を収納する空間６０に接続されると共にモータハウジング１３によって形成される空間が油タンク１００とされている。
【００３６】
このように構成の本実施形態におけるターボ圧縮機４では、まず、潤滑油供給装置７０によって、ターボ圧縮機４の摺動部位に油タンク４０から潤滑油が供給され、その後モータ１２が駆動される。そして、モータ１２の出力軸１１の回転動力がギアユニット３０を介して回転軸２３に伝達され、これによって圧縮機ユニット２０の第１インペラ２１ａと第２インペラ２２ａとが回転駆動される。
【００３７】
第１インペラ２１ａが回転駆動されると、第１圧縮段２１の吸入口２１ｄが負圧状態となり、流路Ｒ５からの冷媒ガスＸ４が吸入口２１ｄを介して第１圧縮段２１に流入する。
第１圧縮段２１の内部に流入した冷媒ガスＸ４は、第１インペラ２１ａにスラスト方向から流入し、第１インペラ２１ａによって速度エネルギを付与されてラジアル方向に排出される。
第１インペラ２１ａから排出された冷媒ガスＸ４は、第１ディフューザ２１ｂによって速度エネルギを圧力エネルギに変換されることで圧縮される。
第１ディフューザ２１ｂから排出された冷媒ガスＸ４は、第１スクロール室２１ｃを介して第１圧縮段２１の外部に導出される。
そして、第１圧縮段２１の外部に導出された冷媒ガスＸ４は、外部配管を介して第２圧縮段２２に供給される。
【００３８】
第２圧縮段２２に供給された冷媒ガスＸ４は、導入スクロール室２２ｄを介してスラスト方向から第２インペラ２２ａに流入し、第２インペラ２２ａによって速度エネルギを付与されたラジアル方向に排出される。
第２インペラ２２ａから排出された冷媒ガスＸ４は、第２ディフューザ２２ｂによって速度エネルギを圧力エネルギに変換されることでさらに圧縮されて圧縮冷媒ガスＸ１とされる。
第２ディフューザ２２ｂから排出された圧縮冷媒ガスＸ１は、第２スクロール室２２ｃを介して第２圧縮段２２の外部に導出される。
そして、第２圧縮段２２の外部に導出された圧縮冷媒ガスＸ１は、流路Ｒ１を介して凝縮器１に供給される。
【００３９】
以上のような本実施形態におけるターボ圧縮機４によれば、油タンク１００が、モータ１２を囲うモータハウジング１３によって形成された閉空間の一部から構成される。このため、油タンクをハウジング（モータハウジング１３、第１ハウジング２１ｅ、第２ハウジング２２ｅ）と別体に設ける必要がなく、その接続箇所も不要となる。
したがって、本実施形態におけるターボ圧縮機４によれば、ターボ圧縮機において、ハウジング内部の密閉性を容易に向上させることが可能となる。
【００４０】
そして、本実施形態におけるターボ冷凍機Ｓ１は、ハウジング内部の密閉性が容易に向上されたターボ圧縮機４を備える。
このため、本実施形態におけるターボ冷凍機Ｓ１によれば、製造コストやメンテナンスコストを増大させることなく、ターボ圧縮機４の密閉性を向上させることが可能となる。
【００４１】
（第２実施形態）
次に、本発明の第２実施形態について説明する。なお、本第２実施形態の説明において、上記第１実施形態と同様の部分については、その説明を省略あるいは簡略化する。
【００４２】
図５は、本実施形態におけるターボ圧縮機４の垂直断面図である。この図に示すように、本実施形態におけるターボ圧縮機４においては、インペラハウジングである第２ハウジング２２ｅがターボ圧縮機４を支持する脚部２２ｅａを備えている。そして、本実施形態におけるターボ圧縮機４においては、脚部２２ｅａの内部は、中空とされており、油タンク１００とされている。そして、モータハウジング１３及び第２ハウジング２２ｅ（インペラハウジング）によって形成されるギアユニット３０を収納する空間６０と油タンク１００とは接続されている。
つまり、本実施形態におけるターボ圧縮機４においては、モータハウジング１３及び第２ハウジング２２ｅ（インペラハウジング）によって形成されるギアユニット３０を収納する空間６０に接続されると共に第２ハウジング２２ｅによって形成される空間が油タンク１００とされている。
【００４３】
以上のような本実施形態におけるターボ圧縮機４によれば、油タンク１００が、第２インペラ２２ａを囲う第２ハウジング２２ｅによって形成された閉空間の一部から構成される。このため、油タンクをハウジング（モータハウジング１３、第１ハウジング２１ｅ、第２ハウジング２２ｅ）と別体に設ける必要がなく、その接続箇所も不要となる。
したがって、本実施形態におけるターボ圧縮機４によれば、ターボ圧縮機において、ハウジング内部の密閉性を容易に向上させることが可能となる。
【００４４】
（第３実施形態）
次に、本発明の第３実施形態について説明する。なお、本第３実施形態の説明においても、上記第１実施形態と同様の部分については、その説明を省略あるいは簡略化する。
【００４５】
図６は、本実施形態におけるターボ圧縮機４の垂直断面図である。この図に示すように、本実施形態におけるターボ圧縮機４においては、モータハウジング１３及び第２ハウジング２２ｅ（インペラハウジング）によって形成されるギアユニット３０を収納する空間６０の下部が油タンク１００とされている。
【００４６】
そして、本実施形態におけるターボ圧縮機４においては、油タンク１００とギアユニット３０を収納する空間の上部との間に、油タンク１００から上部への潤滑油ミストの侵入を抑制する仕切板２００が設置されている。
この仕切板２００は、油タンク１００とその上部空間との接続空間を狭めることにより、油タンク１００にて発生した潤滑油ミストが上部に飛散することを抑制するものである。このような仕切板２００を設置することによって、潤滑油を油タンク１００にて確実に回収することができる。
【００４７】
以上のような本実施形態におけるターボ圧縮機４によれば、油タンク１００が、モータ１２を囲うモータハウジング１３及び第２インペラ２２ａを囲う第２ハウジング２２ｅによって形成された閉空間の一部から構成される。このため、油タンクをハウジング（モータハウジング１３、第１ハウジング２１ｅ、第２ハウジング２２ｅ）と別体に設ける必要がなく、その接続箇所も不要となる。
したがって、本実施形態におけるターボ圧縮機４によれば、ターボ圧縮機において、ハウジング内部の密閉性を容易に向上させることが可能となる。
【００４８】
なお、本実施形態におけるターボ圧縮機４においては、モータハウジング１３及び第２ハウジング２２ｅによってターボ圧縮機４を支持する脚部を構成しても良いし、別途脚部を設置してターボ圧縮機４を支持しても良い。
【００４９】
以上、添付図面を参照しながら本発明に係るターボ圧縮機及び冷凍機の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５０】
例えば、上記第１実施形態においては２つの圧縮段（第１圧縮段２１及び第２圧縮段２２）を備える構成について説明した。
しかしながら、本発明はこれに限定されるものではなく、単一の圧縮段あるいは３つ以上の圧縮段を備える構成を採用しても良い。
【００５１】
また、上記実施形態においては、ターボ冷凍機が、空調用の冷却水を生成するためにビルや工場に設置されるものとの説明をした。
しかしながら、本発明はこれに限定されるものではなく、家庭用や業務用の冷蔵庫あるいは冷凍庫や、家庭用の空調装置に適用することも可能である。
【００５２】
また、上記第１実施形態においては、第１圧縮段２１が備える第１インペラ２１ａと、第２圧縮段２２が備える第２インペラ２２ａとが背面合わせとされた構成について説明した。
しかしながら、本発明はこれに限定されるものではなく、第１圧縮段２１が備える第１インペラ２１ａの背面と、第２圧縮段２２が備える第２インペラ２２ａの背面とが同じ方向を向くように構成されても良い。
【００５３】
また、上記第１実施形態においては、モータユニット１０と圧縮ユニット２０とギアユニット３０とが各々設けられたターボ圧縮機について説明した。
しかしながら、本発明はこれに限定されるものではなく、例えば、モータが第１圧縮段と第２圧縮段の間に配置する構成を採用しても良い。
【符号の説明】
【００５４】
Ｓ１……冷凍機、１……凝縮器、３……蒸発器、４……ターボ圧縮機、１２……モータ、１３……モータハウジング、２１ｅ……第１ハウジング（インペラハウジング）、２２ｅ……第２ハウジング（インペラハウジング）、１００……油タンク、２００……仕切板
【図１】
0005545326.tif 000002
【図２】
0005545326.tif 000003
【図３】
0005545326.tif 000004
【図４】
0005545326.tif 000005
【図５】
0005545326.tif 000006
【図６】
0005545326.tif 000007